(57)【要約】【課題】マイナスイオンを離れた特定領域まで確実に搬送できるようにしたマイナスイオン雰囲気形成装置を提供する。【解決手段】マイナスイオンを発生するマイナスイオン発生手段１および該マイナスイオン発生手段１に近接して配置されたミスト発生手段２とを有するマイナスイオン生成部Ａと、前記マイナスイオン生成部Ａに連接され、前記ミスト発生手段２から発生するミストにマイナスイオンを含ませて特定領域Ｃに搬送する搬送路８および搬送路８に搬送方向に向う気流を生じさせるファン４を有する搬送部Ｂと、を備える。【選択図】図１
2006100229.tif 000002
【特許請求の範囲】
【請求項１】
マイナスイオンを発生するマイナスイオン発生手段および該マイナスイオン発生手段に近接して配置されたミスト発生手段とを有するマイナスイオン生成部と、
前記マイナスイオン生成部に連接され、前記ミスト発生手段から発生するミストにマイナスイオンを含ませて特定領域に搬送する搬送路および該搬送路に搬送方向に向う気流を生じさせるファンを有する搬送部と、を備えたことを特徴とするマイナスイオン雰囲気形成装置。
【請求項２】
前記マイナスイオン発生手段は、電極からマイナスイオンを放射する電子放射方式のものであることを特徴とする請求項１記載のマイナスイオン雰囲気形成装置。
【請求項３】
前記マイナスイオン発生手段は、水を攪拌してマイナスイオンを発生させる水攪拌方式のものであることを特徴とする請求項１記載のマイナスイオン雰囲気形成装置。
【請求項４】
前記マイナスイオン生成部から前記搬送路の出口に至る途中に、低線量の鉱石粉末を有するマイナスイオン発生部材または電子放射方式のマイナスイオン発生部材を設けたことを特徴とする請求項１ないし３のいずれかに記載のマイナスイオン雰囲気形成装置。
【請求項５】
前記搬送路を、空調装置の送風用ダクト内に沿って配設し、該送風用ダクトの吹出し口からマイナスイオンを含ませたミストを吹き出すようにしたことを特徴とする請求項１ないし４のいずれかに記載のマイナスイオン雰囲気形成装置。
【発明の詳細な説明】
【技術分野】
【０００１】  本発明は、室内その他の特定領域にマイナスイオン雰囲気を作るマイナスイオン雰囲気形成装置に関する。
【背景技術】
【０００２】  マイナスイオンは、別名「元気イオン」とも呼ばれ、人問および動植物の細胞の活性化に大きな影響力を持つことが知られている。すなわち、人間にとっては、ストレスや老化の原因といわれているプラスイオンや活性酸素を中和し、細胞レベルから自然治癒力を高めたり、老化を防いだりする効果があるとされている。【０００３】  従来、マイナスイオン雰囲気を作ると装置して、エアコンの吹出し口にマイナスイオン発生器を取り付け、吹出し口から流れる気流をマイナスイオン化ことにより、部屋にマイナスイオンを充満させようとする装置が知られている。
また、カーテン気流で包囲された特定領域にマイナスイオン発生手段からマイナスイオンを供給し、その特定領域内をマイナスイオン雰囲気とする装置もある（例えば、特許文献１参照）。【０００４】
【特許文献１】  特表２００２−２９９００６号公報
【発明の開示】
【発明が解決しようとする課題】
【０００５】  しかしながら、エアコンの吹出し口からマイナスイオンの気流を吹き出す方法は、吹出し口付近でプラスに帯電している空気と接触して瞬間的に中和されてしまい、室内をマイナスイオン化することは困難であった。
また、特許文献１に記載されている装置は、室内に大掛かりなカーテン気流発生装置を設置する必要があり、高価な設備となるとともに、カーテン気流内に運ぶ間にマイナスイオンが失われてしまい、やはり室内をマイナスイオン化することは困難である。【０００６】  本発明は、上述のような従来の課題を解決するためになされたもので、その目的は、マイナスイオンを確実に離れた特定領域まで搬送できるようにしたマイナスイオン雰囲気形成装置を提供することにある。
【課題を解決するための手段】
【０００７】  請求項１記載の発明は、マイナスイオンを発生するマイナスイオン発生手段および該マイナスイオン発生手段に近接して配置されたミスト発生手段とを有するマイナスイオン生成部と、前記マイナスイオン生成部に連接され、前記ミスト発生手段から発生するミストにマイナスイオンを含ませて特定領域に搬送する搬送路および該搬送路に搬送方向に向う気流を生じさせるファンを有する搬送部と、を備えたことを特徴とする。【０００８】  請求項２記載の発明は、前記マイナスイオン発生手段は、電極からマイナスイオンを放射する電子放射方式のものであることを特徴とする。【０００９】  請求項３記載の発明は、前記マイナスイオン発生手段は、水を攪拌してマイナスイオンを発生させる水攪拌方式のものであることを特徴とする。【００１０】  請求項４記載の発明は、前記マイナスイオン生成部から前記搬送路の出口に至る途中に、低線量の鉱石粉末を有するマイナスイオン発生部材または電子放射方式のマイナスイオン発生部材を設けたことを特徴とする。【００１１】  請求項５記載の発明は、前記搬送路を、空調装置の送風用ダクト内に沿って配設し、該送風用ダクトの吹出し口からマイナスイオンを含ませたミストを吹き出すようにしたことを特徴とする。
【発明の効果】
【００１２】  請求項１記載の発明によれば、マイナスイオンをミストに載せて密閉された搬送路を介して搬送するようにしたので、マイナスイオンを特定領域に確実に搬送することが可能となり、マイナスイオンが空気中で中和されて消滅すること防止でき、これにより、この特定領域をマイナスイオン雰囲気とすることが可能となる。【００１３】  請求項２記載の発明によれば、電子放射方式により大量のマイナスイオンを発生させることができる。【００１４】  請求項３記載の発明によれば、水攪拌方式により、水蒸気を含むマイナスイオンを発生させることにより、特定領域の加湿も同時に行うことができ、特に特定領域が生鮮食料品のケースである場合に好適である。【００１５】  請求項４記載の発明によれば、搬送路にマイナスイオン発生部材を設けることにより、搬送中におけるマイナスイオンの低減を補うことができる。【００１６】  請求項５記載の発明によれば、空調装置の送風用ダクトを利用することができるとともに、室内を冷暖房すると同時に、マイナスイオン雰囲気を作り出すことができ、しかも、ミストにより適度に加湿することもできる。
【発明を実施するための最良の形態】
【００１７】  以下、本発明の一実施形態を、図面に基づいて説明する。
図１は、本発明のマイナスイオン雰囲気形成装置の第１実施形態を示す縦断側面図である。【００１８】  同図に示すように、本実施形態のマイナスイオン雰囲気形成装置は、マイナスイオン生成部Ａと、このマイナスイオン生成部Ａで生成されたマイナスイオンをミストに載せて特定領域Ｃに搬送する搬送部Ｂとからなる。【００１９】  マイナスイオン生成部Ａは、マイナスイオン発生手段１と、ミスト発生手段２とが筺体３内に設けられたもので、筺体３の出口付近にはファン４が設けられている。
マイナスイオン発生手段１は、図示の例では、電極５に高電圧を印加してマイナスイオンを発生させる、いわゆる電子放射方式のものを示している。【００２０】  ミスト発生手段２は、水槽６の底部に超音波振動子７を取り付け、水槽６内の水に超音波振動を与えることにより、ミストを発生するもので、このようなミスト発生手段は周知である。
搬送部Ｂは、ダクトまたは配管で構成された密閉された搬送路８で構成されあものであり、マイナスイオン雰囲気を形成する特定領域Ｃに接続されている。【００２１】  マイナスイオン発生手段１で発生したマイナスイオンは、ミスト発生手段２で発生したミストに混和した状態でファンにより搬送部Ｂ内で搬送され、領域Ｃに送り込まれる。前述したように、マイナスイオンは空気中に放出されると、瞬間的に中和されてしまう性質があるため、遠くに搬送することは困難であった。そこで、本発明では、マイナスイオンをミストに含ませて、密閉された搬送路内でミストに載せて搬送することにより、確実にマイナスイオンを領域Ｃに送り込むようにしている。【００２２】  領域Ｃは、居室、執務室等の部屋のほか、生鮮食料品のケースその他マイナスイオン雰囲気を形成しようとする任意の空間である。マイナスイオンはミスト中に混和されているので、中和されることなく室内空間等の特定領域に拡散され、マイナスイオン雰囲気を形成することができる。【００２３】  マイナスイオン発生手段１は、上記のような電子放射方式のほか、水を高速で攪拌する水破砕方式も知られている。この方式のものを用いると、マイナスイオンとともに水蒸気も発生するので、特定領域Ｃが加湿を必要とする生鮮食料品のケースのような場合に有利である。【００２４】  図２は、本発明のマイナスイオン雰囲気形成装置の第２実施形態を示す縦断側面図である。【００２５】  同図に示すように、本実施形態のマイナスイオン雰囲気形成装置は、マイナスイオン生成部Ａと、このマイナスイオン生成部Ａで生成されたマイナスイオンをミストに載せて所定の領域Ｃ１〜Ｃ４に搬送する搬送部Ｂとからなる。【００２６】  搬送部Ｂは、ダクトまたは配管で構成され、密閉された共通搬送路８および共通搬送路８から分岐した分岐搬送路９を有し、各分岐搬送路９は、マイナスイオンを供給する個別の部屋等のマイナスイオン雰囲気を形成する領域Ｃ１〜Ｃ４に配管されている。マイナスイオン生成部Ａと、搬送部Ｂとはフランジ結合部１０で結合されている。筺体３の出口付近にはファン４が設けられ、また、搬送部Ｂの入口付近および出口付近にも別のファン１１、１２が設けられている。【００２７】  筺体３の出口付近には、マイナスイオン発生部材１４が設けられている。このマイナスイオン発生部材１４は、板材１６に多数の透孔１７を設け、この透孔１７の内面にマイナスイオンを発生する鉱石粉末１８が塗布されたものである。マイナスイオンを発生する鉱石粉末としては、トリウム系列またはウラン系列の元素を含んだ低線量の鉱石粉末が好適に使用される。このような鉱石粉末を溶剤に溶かして透孔の内面に塗布している。また、分岐搬送路９の各吹出し口付近には、同様の鉱石粉末をメッシュ状のフィルタに付着させたマイナスイオン発生部材１５が設けられている。このようなメッシュ状のマイナスイオン発生部材にすると、マイナスイオン発生と、フィルタの機能も果すことができる。なお、マイナスイオン発生部材１４と１５は同じ構造のものを用いてもよい。【００２８】  マイナスイオン発生手段１で発生したマイナスイオンは、ミスト発生手段２で発生したミストに混和した状態でファンにより搬送��Ｂ内で搬送され、各領域Ｃ１〜Ｃ４に送り込まれる。【００２９】  マイナスイオン生成部Ａからマイナスイオン雰囲気を形成する特定領域までの距離が比較的小さい場合は、搬送路でのマイナスイオンの低減が少ないので、第１実施形態で示すように、マイナスイオン発生部材１４，１５はなくてもよいが、特定領域までの距離が長くなると、マイナスイオンの低減量が増え、特定領域に到達するマイナスイオンが少なくなるおそれがある。その場合は、マイナスイオン発生部材１４，１５を搬送路８、９の途中や出口付近に設けて、マイナスイオンの低減を補うことができる。上記のような低線量の鉱石粉末からなるマイナスイオン発生部材１４、１５に代えて、電極に高電圧を印加してマイナスイオンを発生させる電子放射方式のものを用いると、より多量のマイナスイオンで低減を補うことができる。【００３０】  図３は本発明の他の実施形態を示している。同図に示すように、空調装置２０から各部屋にダクト２１を介して冷暖房用のエアを供給するような空調方式において、ダクト２１の内部に搬送部Ｂとなる配管を配設し、マイナスイオン生成部Ａのマイナスイオンをダクト２１の吹出し口２２に搬送部Ｂの先端２３を望ませ、吹出し口２２から空調用のエアと同時にマイナスイオンを含んだミストを吹き出すようにしている。この第３実施形態によれば、室内を冷暖房すると同時に、マイナスイオン雰囲気を作り出すことができ、しかも、ミストにより適度に加湿することも可能となる。
【図面の簡単な説明】
【００３１】
【図１】本発明のマイナスイオン雰囲気形成装置の第１実施形態を示す縦断側面図である。
【図２】同じく、第２実施形態を示す縦断側面図である。
【図３】同じく、第３実施形態を示す縦断側面図である。
【００３２】１マイナスイオン発生手段
２ミスト発生手段
４、１１、１２ファン
１４、１５マイナスイオン発生部材
２０空調装置
２１送風用ダクト
Ａマイナスイオン生成部
Ｂ搬送部
Ｃ、Ｃ１、Ｃ２、Ｃ３、Ｃ４特定領域
【図１】
2006100229.tif 000003
【図２】
2006100229.tif 000004
【図３】
2006100229.tif 000005